(57)【要約】【課題】本考案は、箸の中間部を陶磁器製とすることにより、高級感を出すことができ、かつ使いやすい箸を提供することを目的とするものである。【解決手段】本考案の箸１は、木製、あるいは合成樹脂製より形成される箸本体２の先端部３と上端部４との間に、陶磁器より形成される中間部５が設けられる。【選択図】図１
0003126608.tif 000002
【実用新案登録請求の範囲】
【請求項１】
箸の中間部が陶磁器製である
ことを特徴とする箸。
【請求項２】
前記中間部が中空構造とされる
ことを特徴とする請求項１記載の箸。
【請求項３】
前記中間部の外周全面に突起部が形成される
ことを特徴とする請求項１または２記載の箸。
【請求項４】
前記中間部の外周全面に図柄、あるいは文字が付される
ことを特徴とする請求項１、２または３記載の箸。
【考案の詳細な説明】
【技術分野】
【０００１】
本考案は、箸に関する。詳しくは箸の一部を陶磁器とすることにより高級感のある箸に係るものである。
【背景技術】
【０００２】
箸は古来から木材や竹によって製作されたものが最も多く使われている。これらの箸に装飾性を施す場合には、箸の先端と基端との間、すなわち手で持つ部分に図柄や文字が描かれる場合が多いが、木材や竹製の箸では洗うごとに図柄部分の色が薄くなったり、また耐久性が低下するなどの問題がある。
【０００３】
そこで耐久性が維持でき、かつ高級感を持たせるために陶磁器によって製作された箸や、例えば図４に示すように、金属により製作された箸１０１の中央部をプラスチック製の筒１０２によって包みこんだものがある（特許文献１参照。）。
【０００４】
【特許文献１】実開平７−１７４号公報
【考案の開示】
【考案が解決しようとする課題】
【０００５】
しかしながら前記陶磁器によって製作された箸では、材質が変質することなく、高級感を出すことができる反面、全部が陶磁器から形成されるために重量が嵩み、非常に使いに難い問題がある。また、箸を落下させた際には、床面と箸の先端部あるいは上端部が衝突し、その衝撃により割れやすいという問題があった。
【０００６】
また、金属製の箸の中央部をプラスチック製の筒によって包みこんだものでは、材質が変質することなく、耐久性があり、かつプラスチック製の筒によって包みこむことによって金属の温度と無関係な手の感触を得ることができるという反面、韓国では金属製の箸が多く使用されているが、日本ではなじみが薄く、日本的な高級感を出すのが非常に難しい問題がある。
【０００７】
本考案は、以上の点に鑑みて創案されたものであって、箸の中間部を陶磁器製とすることにより、高級感を出すことができ、かつ使いやすい箸を提供することを目的とするものである。
【課題を解決するための手段】
【０００８】
上記目的を達成するために、本考案に係る箸は、箸の中間部が陶磁器製であることを特徴とする。
【０００９】
ここで、先端部を中間部と上端部からなる箸の中間部を陶磁器製にすることにより高級感を出すことができる。
【００１０】
また、前記間部が中空構造とされることにより、焼成時の変形や割れが少なく、かつ軽量となる。
【００１１】
また、中間部の外周全面に突起部が形成されることにより、この突起部が指に触れることにより、指の神経を刺激し心地よい気分にするとともに、老化防止等の効果を合わせ持つこととなる。
【００１２】
また、中間部の外周全面に図柄、あるいは文字が付されることにより、例えば旅館名を入れることにより、広告宣伝として活用することもできるし、あるいは、購入者に好きな絵柄や文字を記入してもらうことによりオリジナルな箸の製作が可能となる。
【考案の効果】
【００１３】
本考案の陶磁器製の箸によれば、軽量で使いやすくなり、かつ落下などの衝撃によっても割れにくくなるという効果がある。また、中間部を中空構造とすることにより陶磁器製である中間部の製造不良が出にくく量産性が良くなるという効果がある。
【００１４】
さらに、陶磁器製の中間部の外周全面に突起部を形成することによって、指の神経を刺激し心地よい気分にするとともに、老化防止等の効果を合わせ持つこととなる。
【考案を実施するための最良の形態】
【００１５】
以下、本考案の実施の形態を図面を参酌しながら説明し、本発明の理解に供する。
図１に、本考案を適用した箸の一例を示す斜視図、図２（イ）（ロ）にそれぞれ本考案を適用した箸の組立ての一例を示す組立て分解説明図である。
【００１６】
ここで示す箸１は、木製、あるいは合成樹脂製より形成される箸本体２の先端部３と上端部４との間に、陶磁器より形成される中間部５が設けられる。
【００１７】
前記箸本体２は、図２（イ）で示すように、その上端部３から先端部３に向けて先細り状となるように形成され、前記中間部５が取り付けられる外周面に、中間部５を嵌め込むための溝部６が刻設される。
【００１８】
そして前記溝部６の略中央位置より切断されて中間部嵌入部７、７Ａが形成されることとなる。
【００１９】
いっぽう、前記中間部５は図２（ロ）で示すように、前記中間部嵌入部７、７Ａに外挿可能な内径を有する陶磁器より形成される筒体である。この中間部５は、その形状を中空とすることにより、焼成時の変形や割れを少なくすることができる。また、前記中間部５を素焼きの段階で絵付けを行い、上薬を塗って焼成することにより絵柄や文字などが描かれた光沢のある陶磁器より形成される中間部５が形成されることになる。
【００２０】
そこで、前記中間部嵌入部７、７Ａ外周面に接着材を塗布し、中間部５を外挿することにより前記箸本体２の先端部３と上端部４とが前記中間部５によって結合されることになる。
【００２１】
このようにして取り付けられた中間部５は、上端部３から先端部４に向けて箸本体２と同様に先細り状となるように形成されており、箸本体２の外周面から突出することなく該箸本体２と一体的となる。また、前記中間部５と箸本体２の先端部３および上端部４との接合端には漆などを塗り込んで水が染み込まないようにする。
【００２２】
次に、図３に示すのは本考案を適用した箸の中間部の他の実施例を示す説明図である。
ここで示す中間部５は、その外周全面に突起部８が形成されるように焼成される陶磁器である。
【００２３】
したがって、箸１を持つときに前記中間部５の突起部８が指に触れることとなり、この突起部８によって指の神経を刺激し心地よい気分にするとともに、老化防止等の効果を合わせ持つこととなる。
【００２４】
なお、中間部の取り付け機構は必ずしも本実施例で示す機構とする必要性はなく、例えば箸本体２の先端部４、あるいは上端部３のいずれかに外挿するなど先端部４と上端部３との間に取り付けられる機構であればいかなる機構であっても構わない。
【００２５】
また、前記陶磁器製よりなる中間部は必ずしも筒状である必要性は無く、柱状のものであっても構わないが、焼成時の変形や割れが少なく、かつ軽量となる筒形状を使用することが最も望ましいものである。
【００２６】
以上の構成よりなる本考案の箸では、箸の先端部と上端部との間に陶磁器製の中間部を設けることによって軽量、かつ高級感を出すことが可能となる。また、素焼きにした中間部の外周面に、例えば旅館名を入れることにより、広告宣伝として活用することができる。
あるいは、購入者に好きな絵柄や文字を記入してもらうことによりオリジナルな箸の製作が可能となる。
【図面の簡単な説明】
【００２７】
【図１】本考案を適用した箸の一例を示す斜視図である。
【図２】本考案を適用した箸の組立ての一例を示す説明図である。
【図３】本考案を適用した箸の中間部の他の例を示す説明図である。
【図４】従来の箸の一例を示す説明図である。
【符号の説明】
【００２８】
１      箸
２      箸本体
３      先端部
４      上端部
５      中間部
６      溝部
７、７Ａ  中間部嵌入部
８      突起部
【図１】
0003126608.tif 000003
【図２】
0003126608.tif 000004
【図３】
0003126608.tif 000005
【図４】
0003126608.tif 000006